(57)【要約】本発明は、下部周辺部（６２）、上向きフラップ（６０）、及び重なった折り曲げ領域を有する不織外科用ガウンに関する。フラップは、下部周辺部（６２）の少なくとも一部の周りを延び、少なくとも１つの点でガウンに取り付けられ、外向き溝を形成する。重なった折り曲げ領域は、下部周辺部（６２）の少なくとも一部を形成する。幾つかの実施形態において、重なった折り曲げ領域に錘をかけることができる。
2006508278.tif 000002
【特許請求の範囲】
【請求項１】
右袖と、
左袖と、
開いた後部、閉じた前部、下縁部、及び前記前部を横切って延び、前記後部を横切って少なくとも部分的に延びて上向きフラップを形成する折り目を含む本体と、
を備え、
前記折り目は、前記前部の下縁部と前記後部の下縁部の少なくとも一部とを構成し、前記フラップは、該折り目の一方の側に配置され、前記本体の外側を向いており、少なくとも一点で該本体に鋲止めされて外向き溝を形成することを特徴とする不織外科用ガウン。
【請求項２】
前記フラップが、約２ｃｍから約５ｃｍまでの幅であることを特徴とする請求項１に記載のガウン。
【請求項３】
前記下縁部に錘がかけられていることを特徴とする請求項１に記載のガウン。
【請求項４】
前記下縁部に隣接した複数の錘を含むことを特徴とする請求項３に記載のガウン。
【請求項５】
付加的な錘が前記下縁部に沿って均等に分配されていることを特徴とする請求項１に記載のガウン。
【請求項６】
前記付加的な錘が、前記下縁部に隣接した可撓性材料からなることを特徴とする請求項５に記載のガウン。
【請求項７】
前記付加的な錘が、前記折り目における前記ガウンのひだ付き折り曲げ部を構成することを特徴とする請求項５に記載のガウン。
【請求項８】
下部周辺部と上向きフラップとを含み、前記フラップは、前記下部周辺部の少なくとも一部の周りを延び、少なくとも一点で前記本体に取り付けられ、外向き溝を形成することを特徴とする不織外科用ガウン。
【請求項９】
前記下部周辺部の少なくとも一部に錘が付されていることを特徴とする請求項８に記載のガウン。
【請求項１０】
前記下部周辺部に隣接し、該下部周辺部の周りに間隔をおいて配置された複数の錘を含むことを特徴とする請求項８に記載のガウン。
【請求項１１】
前記フラップが、前記前部と前記後部との間で前記ガウンに取り付けられることを特徴とする請求項８に記載のガウン。
【請求項１２】
前記フラップが、少なくとも前記ガウンの前部を横切って延びることを特徴とする請求項１１に記載のガウン。
【請求項１３】
前記フラップが、少なくとも前記ガウンの前部を横切って延びることを特徴とする請求項８に記載のガウン。
【請求項１４】
前記下部周辺部の少なくとも一部にひだ付き折り曲げ部を含むことを特徴とする請求項８に記載のガウン。
【請求項１５】
前記ひだ付き折り曲げ部が、前記フラップの最下部を含むことを特徴とする請求項１４に記載のガウン。
【請求項１６】
下部周辺部と、上向きフラップと、重なった折り曲げ領域とを含み、前記フラップは、前記下部周辺部の少なくとも一部の周りを延び、少なくとも一点で前記ガウンに取り付けられ、外向き溝を形成しており、前記重なった折り曲げ領域が、該下部周辺部の少なくとも一部を形成していることを特徴とする不織外科用ガウン。
【請求項１７】
前記重なった折り曲げ領域がひだ付き折り曲げ部を含むことを特徴とする請求項１６に記載のガウン。
【発明の詳細な説明】
【技術分野】
【０００１】
本発明は、液体の流出を減少させながら液体の染み通りを最小にする、外科用ガウンその他同種類のものに関する。
【背景技術】
【０００２】
外科医の滅菌ガウンは、手術の経過中に、着用者との接触を通して、患者、外科用器具、及び他の人員が汚染するのを防止し、該着用者の衣服が、血液その他の液体で飽和状態になるのを防止するように機能しなければならないことがよく知られている。
もともと、外科用ガウンは、リンネルで作られ、手術室内で使用される前に滅菌された。リンネルのガウンは、手術的処置中に遭遇する種々の液体の「染み通り」を防ぐことができなかった。その結果、着用者の衣服が血液などに接触するようになり、ガウンの着用者との間にバクテリアの感染経路が確立された。さらに、コストが高いために、リンネルのガウンは、何度も使用しなければならず、よって、連続的な使用の間に洗浄及び滅菌を必要とした。
液体の染み通りを減少させ、繰り返し洗浄し滅菌する必要性を排除するために、使い捨てガウンが、流体忌避性の不織布で作られた。これらのガウンは、限られた時間だけ液体の染み通りを減少させるものであった。しかしながら、液体は、ガウンの外面を流れ落ち、しばしば靴及び着用者の衣服の保護されていない下部を濡らす傾向がある。
【０００３】
流体の染み通りを最小にし、さらに流体を捕捉することができ、該流体がガウンの外面を流出する傾向を最小にする特性を維持する、外科用ガウンに対する必要性が存在する。
【発明の開示】
【０００４】
このように、本発明の一つの態様が、右袖と、左袖と、本体とを有する不織外科用ガウンを開示する。この本体は、開いた後部、閉じた前部、下縁部、及び該前部を横切って延び、該後部を横切って少なくとも部分的に延びる折り目を有するように構成することができる。折り目は、上向きフラップを形成し、前部の下縁部及び後部の下縁部の少なくとも一部も形成する。フラップは、ガウン本体の一部から形成され、折り目の一方の側に配置され、該ガウン本体の外側に向いている。少なくとも１点においてフラップを本体にタック止めし、外向き溝を形成することができる。
【０００５】
幾つかの実施形態において、フラップは、約２ｃｍから約５ｃｍまでの幅にすることができる。幾つかの実施形態は、ガウン本体の下縁部に錘を付することができる。錘は、下縁部に隣接した複数の錘、該下縁部に隣接した可撓性材料、及び／又は該下縁部自体において布の重量を集中させるように働くガウン布の重なる折り曲げ部を構成することができる。
本発明の別の態様において、不織外科用ガウンが開示される。このガウンは、下部周辺部と上向きフラップとを有する。フラップは、下部周辺部の少なくとも一部の周りを延び、少なくとも１点でガウンに取り付けられ、外向き溝を形成することができる。
【０００６】
本発明の更に別の態様は、下部周辺部と、上向きフラップと、重なった折り曲げ領域とを有する不織外科用ガウンを開示する。フラップは、下部周辺部の少なくとも一部の周りを延び、少なくとも１点で該ガウンに取り付けられ、外向き溝を形成する。重なった折り曲げ領域は、少なくとも一部の下部周辺部を形成する。幾つかの実施形態において、重なった折り曲げ領域は、ひだ付き折り曲げ部とすることができる。
【発明を実施するための最良の形態】
【０００７】
本発明及びその利点は、種々の図面における同様の部品及び対応する部品に同じ番号が用いられた図面を参照することにより、最も良く理解される。
ガウンを着用する際、該ガウンの種々の部品を指すために、ここで幾つかの用語を用いることができる。したがって、「前部」は、着用者の胸又は前面を覆うガウンの部分を指し、「後部」は、着用者の背又は背面を覆うガウンの部分を指し、「側部」は、着用者の脇又は側部を覆い、着用者の後部又は前部まで延び、該後部又は該前部と重なることができ、一般に該前部と該後部との間に配置されたガウンの部分を指す。「外部」又は「外側」という用語は、ガウンを着用する際に、該着用者から見て外側に向いているガウンの表面を表し、「内部」、「内側」という用語は、着用者の衣服又は身体のいずれかに面するガウンの表面又は該ガウンの一部を指し、「左」及び「右」という用語は、ガウンを着用する際に、それぞれガウンの左側及び右側に対応するガウンの部分をそれぞれ指す。「連続するシート」又は「連続する材料のシート」という用語は、単一部品の材料から形成され、縫い付けること又は接着させて縫い目を形成するなど、２つ又はそれ以上の材料を取り付けることによって形成されるのではない、シート又は材料のシートを指す。
【０００８】
さらに、ガウンのある部分を別の部分に取り付けることに関して、ここで、幾つかの用語を用いることができる。これらの用語には、「接合する」、「固定する」、「取り付ける」並びにこれらの派生語及び同義語が含まれる。これらのガウンの部分の部品を別の部分に取り付けることは、幾つかの従来の方法のいずれかによって達成される。例として、制限としてではなく、これらの方法には、縫うこと、接着、熱シール、ファスナ、スナップ留め、音響結合又は熱結合、或いはフック及びループ締結システム及び当業者にはよく知られた他の方法を使用することが含まれる。
【０００９】
ここで、図を参照し、最初に図１を参照すると、ガウン１０が、材料のシートから、より具体的には、連続する材料のシートから形成することができる。ガウン１０は、本体１２と、右袖１４及び左袖１６とを含む。右袖１４及び左袖１６の両方に、体にぴったり合ったカフス区域１８が設けられている。右袖１４は、右縁部２０において本体１２に固定され、左袖１６は、左縁部２２において該本体１２に固定されている。
特定の実施形態において、本体１２は、閉じた前部区域２４及び開いた後部区域２６を有する。後部区域２６には、一対の対向するパネル、すなわち着用者の身体の周りに開閉する左後部パネル２８及び右後部パネル３０が設けられる。ガウンは、区域を有するものとして説明されるが、該ガウンは、連続する材料でできた一体部品とすることができることを理解すべきである。区域２４及び２６は、それぞれ前部区域及び後部区域として上記に説明されるが、該区分２６の対向するパネル２８及び３０が着用者の胸の周りで開閉し、閉鎖区域２４が該着用者の後部に配置されるように、本発明のガウンを着用できることも理解すべきである。
【００１０】
左後部パネル２８は、一般に、左上縁部３２、左後部パネル縁部３４、下縁部３６、及び左側縁部３８によって定められる。右後部パネル３０は、一般に、右上縁部４０、右後部パネル縁部４２、右側縁部４４、及び下縁部４６によって定められる。外科用ガウンが使用される際には、左後部パネル縁部３４と右後部パネル縁部４２が平行でないこともある。ガウンが使用されており、重複領域４８を形成するとき、右後部パネル縁部４２の周りの右後部パネルの一部及び左後部パネル縁部３４の周りの左後部パネル２８の一部が重なる。幾つかの実施形態は、後部区域２６の長さを概ね延びる縁部３４及び４２によって定められるスリット５０を含む。
【００１１】
前部区域２４は、上縁部３２及び４０と、下縁部５２と、右側縁部４４と、左側縁部３８とによって定められる。ネック縁部５６によって定められるネック開口部５４が、概ね左上縁部３２と右上縁部４０との間に形成される。
スリット５０は、ネック開口部５４から、後部パネル２８の下縁部３６及び後部パネル３０の下縁部４６まで延びる（図２）。一般に逆Ｖ形状に形成することができる重複領域４８は、ネック開口部５４から、後部パネル２８の下縁部３６及び後部パネル３０の下縁部４６まで延びることができる。右後部パネル２８と左後部パネル３０との間の重なり量は、一般に、ネック開口部５４から下縁部３６及び４６へと増大する。
【００１２】
右後部パネル３０は、右側縁部４４に沿って前部区域２４に固定される。左後部パネル３４は、左側縁部３８に沿って前部区域２４に固定される。右側縁部４４は、下縁部５２から延び、右縁部２０の基部の周りで終端する。左側縁部３８は、下縁部５２から延び、左縁部２２の基部の周りで終端する。
ガウン１０は、複数のひも５８ａ−５８ｄを含むことができる。ひも５８ａ−５８ｄは、ガウン１０を着用者の身体の周囲に具合よく固定するためのものである。与えられるひもの量は、ガウンのスタイル、サイズ、又は他の設計基準によって決まる。
【００１３】
ここで図３を見ると、左下縁部３６、右下縁部４６、及び前部下縁部５２が、協働してガウン１０の下部周辺部を定める。ガウン本体１２は、下部周辺部の少なくとも一部の周りを延びる上向きフラップ６０が形成されるように、折り目６２で折り目がつけられる。見られるように、折り目６２自体は、下縁部３６、４６、及び５２の少なくとも一部を構成する。上向きフラップ６０は、ガウン１０の外側に向き、外向き溝６４を形成するように作られる。溝６４は、外科的処置において蓄積することがある少量の流体を収集し、ガウン１０の両側に迂回させるように働く。
【００１４】
幾つかの実施形態において、約２ｃｍから５ｃｍまでの間でのフラップの高さが、考えられる。これらの寸法の間のフラップの高さは、流体の収集のための溝６４を形成し、維持するのに十分に剛なものである。しかしながら、他のフラップの寸法も可能であり、実際に考えることもできる。さらに、幾つかの実施形態において、単一の位置又は複数の位置で、フラップ６０を本体１２に鋲止めすることができる。場合によっては、フラップ６０が、本体１２の両側において前部区域２４と後部区域２６との間に配置された２つの場所を構成することができる。他の実施形態は、付加的なタック止め点を考える。実際には、タック止め点の位置は、ガウン本体を構成するのに用いられる材料の剛性及び該本体１２から形成されるフラップ６０の高さによって決まり得る。
フラップ６０自体は、これがガウン１０の下部周辺部全体の周りを延びるように作ることができ、或いは、前部区域２４の周り及び後部区域２６の少なくとも一部の周りを延びるように作ることができる。
【００１５】
特定の実施形態において、下縁部３６、４６、及び５２の少なくとも一部に錘をかけることができる。錘の付加は、ガウンが広げられるか又は他の方法で身に着けられたときに、該ガウンのむだな折り曲げ部を取り除くという付加的な目的として機能する。すなわち、付加された錘が、重力のためにガウン本体１２を下方に引っ張る傾向があり、これにより該ガウンの製造又滅菌のために該本体１２に与えられた折り目が取り除かれる。ガウン１０の下縁部３６、４６、及び５２又は下部周辺部の一部において又はこれらに対して１つ又は複数の錘を隣接させることによって、この付加的な錘を加えることができる。錘は、複数の固形のおもり、ホットメルト接着剤のビード、付加的な有機物質又は無機物質を組み込むホットメルト接着剤のビード、取り付けられた可撓性の充填ポリマー・ビード又はバンド、或いは下縁部３６、４６、及び５２の少なくとも何らかの部分に取り付けられた同様のものを含むことができる。
【００１６】
図４及び図５は、付加的な錘が下縁部３６、４６、及び５２に組み込まれた、可能な実施形態の幾つかを示す。これらの実施形態は、排他的なものではなく、様々な方法で組み合わせることができることを知るべきである。さらに、他の実施形態が存在することが理解され、同様に考えられる。図４は、下縁部３６、４６、及び５２の少なくとも１つに沿った点でガウン本体１２を貫通する断面を示す。この実施形態において、錘６６は、折り目６２の近くの溝６４の下部に配置されることが分かる。上述のように、錘は、１つの連続的な要素、又は離間配置された複数の別個の要素としてもよい。図示されるように、ガウン本体１２は、錘６６を部分的又は完全に囲むような何らかの方法でそれ自体に結合することができるが、これは重要ではない。実際には、幾つかの実施形態は、流体の衝撃を吸収するために、吸収体又は超吸収体材料の使用を考え、このように材料を囲むことが、全ての場合に望ましいわけではない。
【００１７】
図５は、本体１２自体を含む材料に実際に折り重ねることによって、下縁部３６、４６、及び５２に重量を集中させる実施形態を示す。折り曲げ部１２は、単一の折り曲げ部、ひだ、図５に示されるようなひだ付き折り曲げ部とすることができ、或いは下部周辺部に重量を集中させる他の何らかの折り曲げパターンを構成してもよい。
本発明は、使い捨て使用に適した不織材料を含む多数の材料から作ることができることが注目される。例えば、ガウンを身に着けているとき又は着用しているときに該ガウンが破れにくいように、該ガウンを伸縮可能な不織材料で作ることができる。本発明と共に用いるのによく適した材料は、Ｂｒｏｃｋ他への米国特許第４，０４１，２０３号に記載されているような、スパンボンド、メルトブロー、スパンボンド（ＳＭＳ）ラミネートのような３層のポリオレフィン不織布である。１つの特定の利点は、ＳＭＳ布が、向上した流体障壁特性を示すという点である。しかしながら、他の不織材料、及び織られたもの、フィルム、発泡体／フィルム・ラミネートを含む他の材料、並びにこれらの組み合わせを用いて、本発明のガウンを構成できることに注目すべきである。ガウン材料への流体の吸収を防ぐために、ガウンを液体忌避性の皮膜で被覆することができる。
【００１８】
本発明及びその利点が詳細に説明されたが、添付の特許請求の範囲により定義される本発明の精神及び範囲から逸脱することなく、種々の変更、代用、及び改変行うことができることを理解すべきである。
【図面の簡単な説明】
【００１９】
【図１】本発明による外科用ガウンの１つの実施形態の前から見た等角図である。
【図２】線Ａ−Ａを中心に広げられた図１の外科用ガウンの前から見た等角図である。
【図３】ガウンの下縁部に形成された溝を示す外科用ガウンの１つの実施形態の平面図である。
【図４】本発明のガウンの下縁部の１つの可能な実施形態を示す。
【図５】本発明のガウンの下縁部の代替的な実施形態を示す。
【図１】
2006508278.tif 000003
【図２】
2006508278.tif 000004
【図３】
2006508278.tif 000005
【図４】
2006508278.tif 000006
【図５】
2006508278.tif 000007
【国際調査報告】
2006508278.tif 000008
2006508278.tif 000009
2006508278.tif 000010